(57)【要約】      （修正有）【課題】トレーディングカードパッケージとその中身が紐づけられ、中身が特定できることにより、不正を発見できるトレーディングカードを提供する。【解決手段】レア度ＲＭ情報が印刷されたトレーディングカードで、トレーディングカード４を組にするステップと、組付けられたトレーディングカード４をパッケージングするステップを有し、トレーディングカード４にはトレーディングカードＩＤ２が付与され、組付けステップでは、トレーディングカードＩＤ２がデータベースＤＢに登録され、パッケージ１には、パッケージＩＤが付与され、パッケージＩＤが、パッケージの内に封入されるかまたはパッケージに設けられ、トレーディングカード４を内包するパッケージの前記パッケージＩＤと、パッケージに内包されたトレーディングカードＩＤ２及びレア度ＲＭとが、関連付けられている構成である、トレーディングカードパッケージの製造方法。【選択図】図３
2019155039.tif 000002
【特許請求の範囲】
【請求項１】
複数のレア度があり、いずれかのレア度に分類されて当該レア度情報が印刷されたトレーディングカードであって、異なるレア度に分類された前記トレーディングカードを所定のルールに従い組み合わせて一つのパッケージにパッケージングするために所定数のトレーディングカードを組にする組付けステップと、
前記組付けステップで組に構成されたトレーディングカードの組を一つのパッケージにパッケージングするパッケージングステップと、を有し、
更に前記トレーディングカードにはトレーディングカードＩＤが付与されており、前記組付けステップでは、前記組を構成する所定数のトレーディングカードの組中に所定のルールに従い複数の異なるレア度に分類されたトレーディングカードを組付けるようにトレーディングカードを選択して組を構成し、選択したトレーディングカードの当該トレーディングカードＩＤがデータベースに登録され、
前記パッケージには、当該パッケージを特定するパッケージＩＤがパッケージ毎に付与され、前記パッケージＩＤを表すコード表示が、前記パッケージの内に封入されるかまたは前記パッケージに設けられ、
前記トレーディングカードを内包するパッケージの前記パッケージＩＤと、前記パッケージに内包された前記トレーディングカードＩＤ及びレア度とが、データベースにおいて関連付けられている構成である、トレーディングカードパッケージの製造方法。
【請求項２】
前記トレーディングカードＩＤが、前記組付けステップにおいて前記トレーディングカードを組付ける際、もしくは前記パッケージングステップにおいて前記トレーディングカードの組をパッケージングする前もしくはパッケージング中にそれぞれの前記トレーディングカードＩＤが読み取られる構成である、請求項１に記載のトレーディングカードパッケージの製造方法。
【請求項３】
前記パッケージングステップを経た複数の前記パッケージを内箱に封入する箱詰ステップ、をさらに含み、
複数の前記パッケージを封入した内箱に、互いに異なるユニークな内箱ＩＤを付与し、当該内箱に内包される複数の前記パッケージのパッケージＩＤと、前記内箱ＩＤとが、データベースにおいて関連付けられている構成である、請求項１又は２に記載のトレーディングカードパッケージの製造方法。
【請求項４】
前記内箱複数個を、カートンに梱包する梱包ステップをさらに含み、
前記カートンにカートン毎に異なるユニークなカートンＩＤを付与し、
前記カートンＩＤと、前記カートンに内包する複数の内箱の内箱ＩＤとが、データベースにおいて関連付けられている構成である、請求項３に記載のトレーディングカードパッケージの製造方法。
【請求項５】
前記パッケージに内包された前記トレーディングカードの前記トレーディングカードＩＤ及びレア度から、パッケージ内の前記トレーディングカードが所定のルールに合致した枚数及び組になっているか否かを検査する検査ステップを、更に備えた請求項１に記載のトレーディングカードパッケージの製造方法。
【請求項６】
前記内箱に内包されている全ての前記トレーディングカードの前記トレーディングカードＩＤ及びレア度から、前記内箱内の前記トレーディングカードが所定のルールに合致した枚数およびレア度の組合わせになっているか否かを検査する検査ステップを、更に備えた請求項３に記載のトレーディングカードパッケージの製造方法。
【請求項７】
前記カートンに内包されている全ての前記トレーディングカードの前記トレーディングカードＩＤ及びレア度から、前記カートン内の前記トレーディングカードが所定のルールに合致した枚数およびレア度の組合わせになっているか否かを検査する検査ステップを、更に備えた請求項４に記載のトレーディングカードパッケージの製造方法。
【請求項８】
前記パッケージに内包された前記トレーディングカードの組を前記パッケージに内包された状態で、重量又は厚みから、パッケージ内の前記トレーディングカードが所定のルールに合致した枚数になっているか否かを検査する検査ステップを、更に備えた請求項１から７のいずれかに記載のトレーディングカードパッケージの製造方法。
【請求項９】
前記内箱に内包されている全ての前記トレーディングカードを前記内箱に内包した状態での重量から前記トレーディングカードが所定のルールに合致した枚数になっているか否かを検査する検査ステップを、更に備えた請求項３から８のいずれかに記載のトレーディングカードパッケージの製造方法。
【請求項１０】
前記カートンに内包されている全ての前記トレーディングカードを前記カートンに内包した状態での重量から、前記カートン内の前記トレーディングカードが所定のルールに合致した枚数になっているか否かを検査する検査ステップを、更に備えた請求項４から９のいずれかに記載のトレーディングカードパッケージの製造方法。
【請求項１１】
トレーディングカードが所定のレア度に分類され、分類された当該レア度の情報が前記トレーディングカードにそれぞれ付与されており、
異なるレア度に分類されたトレーディングカードを所定のルールに従い組み合わせて一つのパッケージにパッケージングするために所定数のトレーディングカードが組にされており、
前記組に構成されたトレーディングカードが一つのパッケージにパッケージングされており、
前記トレーディングカードにはトレーディングカードＩＤが付与され、前記組を構成する所定数のトレーディングカードの組中には所定のルールに従い複数の異なるレア度に分類されたトレーディングカードが組付けられており、前記組中の複数のトレーディングカードの当該トレーディングカードＩＤがデータベースに登録され、
前記パッケージには、当該パッケージを特定するパッケージＩＤがパッケージ毎に付与され、前記パッケージＩＤを表すコード表示が、前記パッケージの内に封入されるかまたは前記パッケージに設けられ、
前記トレーディングカードを内包するパッケージの前記パッケージＩＤと、前記パッケージに内包された前記トレーディングカードＩＤとが、データベースにおいて関連付けられている構成である、トレーディングカードパッケージ。
【請求項１２】
前記パッケージングされた複数の前記パッケージが内箱に封入され、
複数の前記パッケージを封入した内箱に、互いに異なるユニークな内箱ＩＤを付与し、当該内箱に内包される複数の前記パッケージのパッケージＩＤと、前記内箱ＩＤとが、データベースにおいて関連付けられている構成である、請求項１１に記載のトレーディングカードパッケージ。
【請求項１３】
前記内箱複数個が、カートンに梱包され、
前記カートンにカートン毎に異なるユニークなカートンＩＤを付与し、
前記カートンＩＤと、前記カートンに内包する複数の内箱の内箱ＩＤとが、データベースにおいて関連付けられている構成である、請求項１２に記載のトレーディングカードパッケージ。
【請求項１４】
前記パッケージに内包された前記トレーディングカードの前記トレーディングカードＩＤ及びレア度から、パッケージ内の前記トレーディングカードが所定のルールに合致した枚数及び組になっているか否かを検査された、請求項１１に記載のトレーディングカードパッケージ。
【請求項１５】
前記内箱に内包されている全ての前記トレーディングカードの前記トレーディングカードＩＤ及びレア度から、前記内箱内の前記トレーディングカードが所定のルールに合致した枚数およびレア度の組合わせになっているか否かを検査された、請求項１２に記載のトレーディングカードパッケージ。
【請求項１６】
前記カートンに内包されている全ての前記トレーディングカードの前記トレーディングカードＩＤ及びレア度から、前記カートン内の前記トレーディングカードが所定のルールに合致した枚数およびレア度の組合わせになっているか否かを検査された、請求項１３に記載のトレーディングカードパッケージ。
【発明の詳細な説明】
【技術分野】
【０００１】  本発明は、トレーディングカードゲームに用いられるトレーディングカードに関し、特に、複数のレア度があり、いずれかのレア度に分類されて当該レア度情報が印刷され、所定のルールに従った組み合わせで個別包装されたトレーディングカードパッケージと、その製造方法に関する。
【背景技術】
【０００２】  トレーディングカードには、レア度が高く高値の価値が付くものがあり、販売の過程でレア度の高いものを抜いたりすり替えたりしてパッケージし直される可能性がある。その場合、このような不正が行われた場合でも、パッケージの本来のあるべき組合せが不明なため不正が発見できない。【０００３】  なお、カードをパッケージしたものを特定するためのＩＤ付きパッケージング方法が、例えば特許文献１に開示されている。
【特許文献１】：ＡＵ２００８３３０６０７
【発明の開示】
【発明が解決しようとする課題】
【０００４】  特許文献に示すものは、ユニークなＩＤをパッケージに付して、ＩＤとシャッフル機とを関連させているが、このＩＤではパッケージの中身そのものを特定することができないため、すり替えられても気づくことができない仕組みとなっていた。【０００５】  本発明は、上記の問題を解決するためのものであって、封入されたトレーディングカードの組み合わせとパッケージＩＤをリンクさせることで、すり替えや偽造などの不正行為の入り込む余地のないトレーディングカードパッケージやその製造方法を提供することを目的とする。
【課題を解決するための手段】
【０００６】  上記の目的を達成するために、本発明にかかるトレーディングカードの製造方法は、複数のレア度があり、いずれかのレア度に分類されて当該レア度情報が印刷されたトレーディングカードであって、異なるレア度に分類された前記トレーディングカードを所定のルールに従い組み合わせて一つのパッケージにパッケージングするために所定数のトレーディングカードを組にする組付けステップと、
前記組付けステップで組に構成されたトレーディングカードの組を一つのパッケージにパッケージングするパッケージングステップとを含むことを特徴とし、更に前記トレーディングカードにはトレーディングカードＩＤが付与されており、前記組付けステップでは、前記組を構成する所定数のトレーディングカードの組中に所定のルールに従い複数の異なるレア度に分類されたトレーディングカードを組付けるようにトレーディングカードを選択して組を構成し、選択したトレーディングカードの当該トレーディングカードＩＤがデータベースに登録され、
前記パッケージには、当該パッケージを特定するパッケージＩＤがパッケージ毎に付与され、前記パッケージＩＤを表すコード表示が、前記パッケージの内に封入されるかまたは前記パッケージに設けられ、
前記トレーディングカードを内包するパッケージの前記パッケージＩＤと、前記パッケージに内包された前記トレーディングカードＩＤ及びレア度とが、データベースにおいて関連付けられている構成である、所定数のデッキを構成する。【０００７】  また、上記の目的を達成するために、本発明にかかるトレーディングカードが所定のレア度に分類されたパッケージは、分類された当該レア度の情報が前記トレーディングカードにそれぞれ付与されており、
異なるレア度に分類されたトレーディングカードを所定のルールに従い組み合わせて一つのパッケージにパッケージングするために所定数のトレーディングカードが組にされており、
前記組に構成されたトレーディングカードが一つのパッケージにパッケージングされており、
前記トレーディングカードにはトレーディングカードＩＤが付与され、前記組を構成する所定数のトレーディングカードの組中には所定のルールに従い複数の異なるレア度に分類されたトレーディングカードが組付けられており、前記組中の複数のトレーディングカードの当該トレーディングカードＩＤがデータベースに登録され、
前記パッケージには、当該パッケージを特定するパッケージＩＤがパッケージ毎に付与され、前記パッケージＩＤを表すコード表示が、前記パッケージの内に封入されるかまたは前記パッケージに設けられ、
前記トレーディングカードを内包するパッケージの前記パッケージＩＤと、前記パッケージに内包された前記トレーディングカードＩＤとが、データベースにおいて関連付けられている構成である。
【発明の効果】
【０００８】  本発明によれば、トレーディングカードパッケージとその中身が紐づけられ、中身が特定できることにより、不正を発見できるトレーディングカードを提供することが可能となる。
【図面の簡単な説明】
【０００９】
【図１】  本発明の一実施形態にかかる、複数のレア度を含むトレーディングカード複数枚がパッケージングされることを示す説明図である。
【図２】  本発明の一実施形態にかかるトレーディングカードがカード原紙に印刷され、印刷されたものが投入筒にセットされることを示す説明図である。
【図３】  本発明の一実施形態にかかるトレーディングカードの製造工程において、トレーディングカードを組付け及びパッケージングするまでの各ステップを示す概略構成図である。
【図４】  本発明の一実施形態にかかるトレーディングカードが、パッケージされ、内箱に箱詰めされ、カートンに積まれた形で運ばれることを示す説明図である。
【発明を実施するための最良の形態】
【００１０】  以下、図面を参照しながら、本発明にかかるトレーディングカードパッケージ及びその製造方法の一実施形態について説明する。
【実施例】
【００１１】  本実施形態にかかるトレーディングカード４の製造工程においては、工程管理システム４００によって、受注から出荷まで一貫した工程管理がなされることが好ましい。この実施形態では、そのような工程管理システム４００を利用した製造工程について説明する。なお、工程管理システム４００は、プログラムを備えたコンピュータで構成される。【００１２】  図１は、本実施形態にかかるトレーディングカード複数枚が、パッケージングされることを示す図である。本発明におけるトレーディングカードとは、トレーディングカードが所定のレア度ＲＭに分類され、分類された当該レア度ＲＭの情報が前記トレーディングカードにそれぞれ付与されており、異なるレア度ＲＭに分類されたトレーディングカードを、所定のルールに従い組み合わせて一つのパッケージ１にパッケージングされている。【００１３】  本実施形態にかかるトレーディングカードのレア度ＲＭとは、レア度ＲＭの高いカードほどゲームにおいての価値が高くなるものである。ゲームによりレア度ＲＭの種類は異なるが、本実施形態のレア度ＲＭの種類は、最も一般的でレア度ＲＭの低いコモン（Ｃ）、Ｃの次にレア度ＲＭの高いアンコモン（Ｕ）、Ｕの次にレア度ＲＭの高いレア（Ｒ）、Ｒの次にレア度ＲＭの高いスーパーレア（ＳＲ）、最もレア度ＲＭの高いハイパーレア（ＨＲ）の５種類である。【００１４】  図２は本実施形態にかかるカード原紙２０の一面に、あらかじめ決められた割り付けで原紙ごとに同じレア度ＲＭの表柄が印刷され、裏面に裏柄を印刷し、印刷済みのカード原紙を切断機により個別のカードにカッティングされた後投入筒１０１にカード原紙に割り付けられた順（図２においては１〜５６の順が３回以上繰り返してセットされている）に投入されることを示す。したがって、投入筒１０１には出るべき順に繰り返してトレーディングカード４がセットされている。なお、同じレア度ＲＭのものは同じカード原紙に印刷されているが、それぞれ異なる表柄が印刷されている。【００１５】  次に、本発明の一実施形態の組付け及びパッケージング工程について説明する。【００１６】  図３は、本実施形態にかかるトレーディングカード４を製造する工程において、トレーディングカード４をパッケージングする際に用いられる組付け機１００を中心とした製造方法の概略構成を示す図である。図３に示すように、組付け機１００は、デッキ投入筒１０１と、ベルトコンベア１０２と、ベルトコンベア移動ローラ１０３と、カード受け部１０４と、カメラ１０５と、を備えている。また、図３におけるデッキ投入筒１０１ａにはコモンＣのトレーディングカード４が図１と同じ割り付け順でセットされ、同様に投入筒１０１ｂにはアンコモンＵ、投入筒１０１ｃにはレアＲ、投入筒１０１ｄにはスーパーレアＳＲ、投入筒１０１ｅにはハイパーレアＨＲのトレーディングカードがセットされている。【００１７】  なお、図３の構成においては、デッキ投入筒１０１が６個の筒を備えた構成を例示したが、筒の個数は任意である。また、最下流の筒（図３においてはデッキ投入筒１０１ｆ）にはパッケージＩＤ３が付与されたカード７のデッキがセットされる。ただし、パッケージＩＤ３は、パッケージ１の���に付されていてもよいし、パッケージＩＤ３が付与されたカード７を封入するとともに、パッケージ１そのものにパッケージＩＤ３が付されてもよい。ベルトコンベア１０２は、トレーディングカードをセットすると、ローラ１０３が回転することに伴い、スライドし、その上にデッキ投入筒１０１からトレーディングカード２が排出される。なお、排出枚数および排出レア度ＲＭの分布は全筒セットで事前に決められている。そして、トレーディングカード排出管理装置３００からの信号により、それぞれの投入筒１０１に取り付けられている排出装置３０１ａ〜３０１ｆから所定のタイミングで所定の枚数のトレーディングカード４が排出される。例えば、図１のトレーディングカードの入り方の場合は図３において投入筒１０１ａから３枚排出され、１０１ｂ〜１０１ｅからあらかじめ決められた確率で計２枚排出され、最後に１０１ｆからパッケージＩＤが付与されたカード７が１枚排出され、合計６枚のカードが排出されパッケージングされる。【００１８】  なお、デッキ投入筒１０１において、トレーディングカードは、表面が上方（カメラ１０６側）を向くようにセットされる。カメラ１０６は、排出装置３０１ａ〜３０１ｆによりベルトコンベア１０２へカード４が１枚落とされる毎に当該カード４の画像を取得する。なお、取得した画像はデータベースＤＢに送られる。【００１９】  また、組付け機１００においては、カメラ１０６が撮影したカード表面の画像は、この組付け機１００を含む製造ラインを管理する工程管理システム４００の画像処理部において、画像解析処理がなされ、この画像解析処理により、デッキ投入筒１０１からベルトコンベア１０２へ落されるカードのトレーディングカードＩＤ２が検出される。すなわち、組付け機１００において、デッキ投入筒１０１からカードが落とされる毎に、そのカードのＩＤ（カードＩＤ２）が検出され、それぞれの筒からあらかじめ決められた順にカードが排出されているか、所定のルールに従ってカードが排出されているかが確認され、さらにデータベースＤＢに記録される。【００２０】  なお、所定のルールとは、１つの投入筒１０１から５枚すべてのカードが出ないこと、カード原紙には異なる絵柄が割り付けられ、割り付けられた順に排出されるので、同じ絵柄のカードが続かないこと等である。また、所定のルールの例として、トレーディングカードゲームにより異なるが、例えば、１内箱当たりの封入枚数がコモンＣは１１〜１２枚、アンコモンＵが４枚、レアＲが１〜２枚、スーパーレアＳＲ及びハイパーレアＨＲが０〜２枚となっている。さらに、１カートン当たりの封入枚数が、Ｃは１３２〜１４４枚、Ｕが４８枚、Ｒが１２〜２４枚、ＳＲ及びＨＲが１〜２４枚となっている。【００２１】  図４は、本実施形態にかかるトレーディングカード４がパッケージングされたパッケージ１が複数パッケージ（例えば３０パッケージ）集められて１内箱に箱詰めされ、さらに内箱５が１２内箱集められて１カートンに封入されることを示す説明図である。【００２２】  トレーディングカード４の製造者は、レア度ＲＭを分類し、分類された当該カード情報及びレア度ＲＭの情報を工程管理システム４００へ入力する。この情報の入力方法は任意である。なお、当該実施例においてはカードにレア度ＲＭが付されているが、このレア度ＲＭはカードに付されず、データベースＤＢ上のみでもよい。また、所定数のトレーディングカードを組にする組付け工程においては、トレーディングカード４の製造者は、異なるレア度ＲＭに分類されたトレーディングカード４を所定のルールに従い組み付けるようにトレーディングカードを選択して組を構成し、選択されたトレーディングカードの当該トレーディングカードＩＤ２を工程管理システム４００へ入力する。さらに、パッケージング工程においても、トレーディングカード４の製造者は、当該パッケージを特定するパッケージＩＤ３を工程管理システム４００へ入力する。さらに、３０個のパッケージ１を内箱５に封入する工程においては、３０個のパッケージ１を内箱詰めし、内箱毎に固有のＩＤ２００（内箱ＩＤ２００）を付与し、その内箱ＩＤ２００を工程管理システム４００へ入力する、さらに、１２個の内箱５をカートン６に封入する工程においては、カートン毎に固有のＩＤ２０１（カートンＩＤ）を付与し，そのカートンＩＤ２０１を工程管理システム４００へ入力する。このように、各工程で入力された情報のうち所定の情報が、後に説明するように、工程管理システム４００のデータベースＤＢ上において、トレーディングカードＩＤ２に関連付けられる。なお、データベースＤＢは、工程管理システム４００内に設けられていても良いし、工程管理システム４００外に設けられていてもよい。このように、それぞれのＩＤをデータベースＤＢに登録することにより、後日に何らかの不良が発見された場合に、当該ＩＤに基づいてデータベースＤＢ検索を行うことにより、不良があった製品の中身を特定することができる。【００２３】  内箱詰め工程においては、パッケージ１の所定数が１内箱に詰められるが、このとき、内箱内のパッケージ１のパッケージＩＤ３をカメラで読み取ることにより、１つの内箱に詰められたパッケージ１のパッケージＩＤ３を、工程管理システム４００のデータベースＤＢへ容易に登録することができる。また、１内箱内の全てのパッケージ１のバーコード３の読み取りが完了すると、工程管理システム４００は、内箱を特定するＩＤ（内箱ＩＤ２００）を生成し、この内箱ＩＤを表すバーコードをシールに印刷するようにしてもよい。このシールを内箱に貼り付けることにより、内箱単位での管理が可能となる。なお、生成された内箱ＩＤは、その内箱に詰められたパッケージ１のパッケージＩＤ３と関連付けて、データベースＤＢに登録される。【００２４】  同様に、所定数の内箱５を１カートン６に搭載し、複数内箱をカートンに詰める際に、１カートンに搭載されている全ての内箱から、前記の内箱ＩＤ２００をバーコードリーダで読み取り、読み取った内箱ＩＤ２００をカートンを特定するＩＤ（カートンＩＤ２０１）に関連付けて、工程管理システム４００のデータベースＤＢへ登録しても良い。このとき、１カートン内の全ての内箱からのバーコード読み取りが完了すると、工程管理システム４００は、カートンを特定するＩＤ（カートンＩＤ２０１）を生成し、このカートンＩＤを表すバーコードをシールに印刷する。このシールをカートン��貼り付けることにより、カートン単位での管理が可能となる。【００２５】  さらに、所定数のカートンをパレットに搭載し、複数カートンをパレットに積む際に、１パレットに搭載されている全てのカートンから、前記のカートンＩＤ２０１をバーコードリーダで読み取り、読み取ったカートンＩＤ２０１をパレットを特定するＩＤ（パレットＩＤ）に関連付けて、工程管理システム４００のデータベースＤＢへ登録しても良い。このとき、１パレット内の全てのカートンからのバーコード読み取りが完了すると、工程管理システム４００は、パレットを特定するＩＤ（パレットＩＤ）を生成し、このパレットＩＤを表すバーコードをシールに印刷する。このシールをパレットに貼り付けることにより、パレット単位での管理が可能となる。【００２６】  以上のとおり、トレーディングカードＩＤ２やパッケージＩＤ３だけではなく、内箱やカートン等にも内箱ＩＤ２００やカートンＩＤ２０１を添付することにより、内箱単位、カートン単位での管理が可能となる。すなわち、例えば、ある１つのトレーディングカード４に何らかの不具合が発見された場合、そのトレーディングカード４のトレーディングカードＩＤ２に基づいて、当該トレーディングカード４が入っていたパッケージ、内箱、カートンのＩＤをデータベースＤＢから検索することができる。そして、不具合があったトレーディングカード４の入っていたパッケージ、内箱、カートン単位での廃棄処分を行うことも可能となる。逆にカートンＩＤ２０１から中に入ったすべての内箱ＩＤ２００やトレーディングカードＩＤ２を知ることができる。【００２７】  次に、本実施形態における検査ステップについて説明する。検査ステップは工程管理システム４００によって行われる。本実施形態では、パッケージ１または内箱５またはカートン６に内包されたトレーディングカード４のトレーディングカードＩＤ２及びレア度ＲＭから、パッケージ内のトレーディングカード４が所定のルールに合致した枚数及び組になっているか否かを検査するステップ、パッケージ１または内箱５またはカートン６に内包されたトレーディングカード４の組をパッケージ１に内包された状態で、重量又は厚みから、パッケージ内の前記トレーディングカードが所定のルールに合致した枚数になっているか否かを検査する検査ステップ、カートンＩＤ２０１を読み取ることにより、内箱ＩＤ２００及び前記パッケージＩＤ３が特定され、さらにカートンの中に所定のレア度ＲＭのトレーディングカードがそれぞれ何枚入っているかを特定し、あらかじめ決めた比率に従ってトレーディングカードのレア度ＲＭが入っているかどうかを検査するステップを備える。【００２８】  また、上記の実施形態において例示した組付け機１００はあくまでも一例であり、組付け機の具体的構成は上記の例のみに限定されない。例えば、投入筒１０１からカードを排出する構成についても、上述したような投入筒とローラに限定されず、例えばロボットアームのような機構によってカードが取り出される構成としても良い。【００２９】  本実施形態においては、トレーディングカードＩＤと、当該トレーディングカード４に関連したパッケージまたは内箱またはカートンのＩＤとを関連付けて���ータベースＤＢへ登録することにより、次のような利点がある。【００３０】  例えば、パッケージ１を購入した顧客が、購入したトレーディングカードに何らかの不良があったことに気付いた場合に、当該顧客は、トレーディングカード４の製造者にパッケージＩＤ３を知らせる。このとき、顧客が、パッケージＩＤ３が印刷されたパッケージまたはカードを製造者へ送り、製造者側でパッケージＩＤ３を読み取っても良いし、顧客が、パッケージＩＤ３をバーコードリーダ等で読み取り、読み取ったデータを電子メール等の通信手段によって製造者へ送信しても良い。これにより、製造者は、このパッケージＩＤに基づいてデータベースＤＢを検索することにより、そのパッケージに本来入っているはずの５枚のトレーディングカードＩＤ２がわかる。そして、データベースＤＢ上のＩＤと実際パッケージに入っているトレーディングカード４のＩＤを照らし合わせることにより、パッケージの中のトレーディングカードの真贋や欠損を特定することができる。【００３１】  また、納品の際に、納品対象のパッケージ１に関するデータ（トレーディングカードＩＤおよびこれに関連付けられた情報）をデータベースＤＢから可搬型の記憶媒体へダウンロードし、この記憶媒体を添付して顧客へ納品しても良い。なお、データベースＤＢから記憶媒体へのダウンロードデータのデータ構造（フォーマット）は、顧客のコンピュータにおいて参照可能であることを条件として、任意である。この場合、顧客側において、例えばカードの折れ曲がり等の不良を発見した場合に、製造者にパッケージＩＤを知らせ、製造者が不良があったパッケージ１のパッケージＩＤ３をバーコードリーダ等で読み取り、読み取ったパッケージＩＤ３に基づいて、この記憶媒体上のデータを検索することができる。また、顧客への納品物の中に、不正目的のトレーディングカード４が混入または抜き取られていたとしても、製造者側で、記憶媒体に格納されているパッケージＩＤ３と納品物のトレーディングカードＩＤ２とを照合チェックすることにより、納品時に提供された記憶媒体内に存在しないトレーディングカードＩＤを有するトレーディングカード４があるまたは、存在するはずのトレーディングカードＩＤを有するトレーディングカード４が欠けていることが判明すれば、そのトレーディングカード４が不正目的で混入されたもしくは抜き取られたものであると判断できる。これにより、第三者による不正品の混入または抜き取りが防止できる。【００３２】  以上、本発明の一実施形態を説明したが、本発明の技術的範囲は、以下の付記事項にも及ぶ。
【付記１】
【００３３】  原紙の一面にトレーディングカードの表柄を印刷する表面印刷ステップと、
原紙の他の面に裏絵柄を印刷する裏面印刷ステップと、
前記表面印刷ステップおよび裏面印刷ステップの両方を経た印刷済みのカード原紙を切断機により個別のトレーディングカードにカッティングするステップと、
前記カッティングするステップにおいて切断された個別のトレーディングカードをいずれかのレア度ＲＭに分類して、当該レア度ＲＭ情報が印刷されたトレーディングカードであって、異なるレア度ＲＭに分類された前記トレーディングカードを所定のルールに従い組み合わせて一つのパッケージにパッケージングするために所定数のトレーディングカードを組にする組付けステップと、
前記組付けステップで組に構成されたトレーディングカードの組を一つのパッケージにパッケージングするパッケージングステップと、を有し、
更に前記トレーディングカードにはトレーディングカードＩＤが付与されており、前記組付けステップでは、前記組を構成する所定数のトレーディングカードの組中に所定のルールに従い複数の異なるレア度ＲＭに分類されたトレーディングカードを組付けるようにトレーディングカードを選択して組を構成し、選択したトレーディングカードの当該トレーディングカードＩＤがデータベースＤＢに登録され、
前記パッケージには、当該パッケージを特定するパッケージＩＤがパッケージ毎に付与され、前記パッケージＩＤを表すコード表示が、前記パッケージの内に封入されるかまたは前記パッケージに設けられ、
前記トレーディングカードを内包するパッケージの前記パッケージＩＤと、前記パッケージに内包された前記トレーディングカードＩＤ及びレア度ＲＭとが、データベースＤＢにおいて関連付けられ、
前記トレーディングカードＩＤが、前記組付けステップにおいて前記トレーディングカードを組付ける際、もしくは前記パッケージングステップにおいて前記トレーディングカードの組をパッケージングする前もしくはパッケージング中にそれぞれの前記トレーディングカードＩＤが読み取られ、
前記パッケージングステップを経た複数の前記パッケージを内箱に封入する箱詰ステップ、をさらに含み、
複数の前記パッケージを封入した内箱に、互いに異なるユニークな内箱ＩＤを付与し、当該内箱に内包される複数の前記パッケージのパッケージＩＤと、前記内箱ＩＤとが、データベースＤＢにおいて関連付けられ、
前記内箱複数個を、カートンに梱包する梱包ステップをさらに含み、
前記カートンにカートン毎に異なるユニークなカートンＩＤを付与し、
前記カートンＩＤと、前記カートンに内包する複数の内箱の内箱ＩＤとが、データベースＤＢにおいて関連付けられている構成であり、トレーディングカードパッケージの製造方法。
【付記２】
【００３４】  前記パッケージまたは内箱またはカートンに内包された前記トレーディングカードの前記トレーディングカードＩＤ及びレア度ＲＭから、パッケージ内の前記トレーディングカードが所定のルールに合致した枚数及び組になっているか否かを検査する検査ステップを、更に備えていてもよい。
【付記３】
【００３５】  前記パッケージまたは内箱またはカートンに内包された前記トレーディングカードの組を前記パッケージに内包された状態で、重量又は厚みから、パッケージ内の前記トレーディングカードが所定のルールに合致した枚数になっているか否かを検査する検査ステップを、更に備えていてもよい、
【付記４】
【００３６】  前記カートンＩＤを読み取ることにより、前記内箱ＩＤ及び前記パッケージＩＤが特定され、さらにカートンの中に所定のレア度ＲＭのトレーディングカードがそれぞれ何枚入っているかを特定し、あらかじめ決めた比率に従ってトレーディングカードのレア度ＲＭが入っているかどうかを検査するステップを、さらに備えていてもよい。
【付記５】
【００３７】  前記トレーディングカードＩＤまたはパッケージＩＤまたは内箱ＩＤがＲＦＩＤであってもよい。
【付記６】
【００３８】  前記トレーディングカードＩＤまたはパッケージＩＤまたは内箱ＩＤがＲＦＩＤであり、前記カートンＩＤを外から読み取った際に、前記カートン内のトレーディングカードの組み合わせが正しいかどうかを検査するステップを、さらに備えていてもよい。
【付記７】
【００３９】  前記パッケージは中身がわからないように不透明のパッケージになっていてもよい。
【付記８】
【００４０】  前記パッケージは一定の説明カードまたはエキストラカードを含み、前記パッケージまたは前記説明カードまたは前記エキストラカードに前記パッケージＩＤ３が付与されており、前記パッケージＩＤ３と当該パッケージ内の他のすべてのカードが関連づけられてもよい。また、当該パッケージＩＤ３をオンライン上の所定のオンラインゲームシステムと関連付け、当該オンラインゲームで使用可能な構成になっていてもよい。
【付記９】
【００４１】  前記カートンＩＤ、内箱ＩＤを読み取ることにより、
（１）出荷するときにどのＩＤをどの顧客に売ったか
（２）顧客からクレームが来た時に、それが自社が出荷したものかどうか
（３）出荷されていないのに持ち出されたかどうか
（４）廃棄するときに廃棄したものかどうか
の少なくとも１つが把握できてもよい。
【付記１０】
【００４２】  原紙の一面にトレーディングカードの表柄を印刷する表面印刷ステップと、
原紙の他の面に裏絵柄を印刷する裏面印刷ステップと、
前記表面印刷ステップおよび裏面印刷ステップの両方を経た印刷済みのカード原紙を切断機により個別のトレーディングカードにカッティングするステップと、
前記カッティングするステップにおいて切断された個別のトレーディングカードが所定のレア度ＲＭに分類され、分類された当該レア度ＲＭの情報が前記トレーディングカードにそれぞれ付与されており、
異なるレア度ＲＭに分類されたトレーディングカードを所定のルールに従い組み合わせて一つのパッケージにパッケージングするために所定数のトレーディングカードが組にされており、
前記組に構成されたトレーディングカードが一つのパッケージにパッケージングされており、
前記トレーディングカードにはトレーディングカードＩＤが付与され、前記組を構成する所定数のトレーディングカードの組中には所定のルールに従い複数の異なるレア度ＲＭに分類されたトレーディングカードが組付けられており、前記組中の複数のトレーディングカードの当該トレーディングカードＩＤがデータベースＤＢに登録され、
前記パッケージには、当該パッケージを特定するパッケージＩＤがパッケージ毎に付与され、前記パッケージＩＤを表すコード表示が、前記パッケージの内に封入されるかまたは前記パッケージに設けられ、
前記トレーディングカードを内包するパッケージの前記パッケージＩＤと、前記パッケージに内包された前記トレーディングカードＩＤとが、データベースＤＢにおいて関連付けられている構成である、トレーディングカードパッケージ。
【付記１１】
【００４３】  前記パッケージングされた複数の前記パッケージが内箱に封入され、
複数の前記パッケージを封入した内箱に、互いに異なるユニークな内箱ＩＤを付与するステップがあり、当該内箱に内包される複数の前記パッケージのパッケージＩＤと、前記内箱ＩＤとが、データベースＤＢにおいて関連付けられている構成であってもよい。
【付記１２】
【００４４】  前記内箱複数個が、カートンに梱包され、
前記カートンにカートン毎に異なるユニークなカートンＩＤを付与するステップがあり、
前記カートンＩＤと、前記カートンに内包する複数の内箱の内箱ＩＤとが、データベースＤＢにおいて関連付けられている構成であってもよい。
【付記１３】
【００４５】  前記パッケージまたは内箱またはカートンに内包された前記トレーディングカードの前記トレーディングカードＩＤ及びレア度ＲＭから、パッケージ内の前記トレーディングカードが所定のルールに合致した枚数及び組になっているか否かを検査されるステップを含んでもよい。
【付記１４】
【００４６】  前記カートンＩＤを読み取ることにより、前記内箱ＩＤ及び前記パッケージＩＤが特定され、さらにカートンの中に所定のレア度ＲＭのトレーディングカードがそれぞれ何枚入っているかを特定し、あらかじめ決めた比率に従ってレア度ＲＭが入っているかどうかを検査するステップを、さらに備えてもよい。
【付記１５】
【００４７】  前記トレーディングカードＩＤまたはパッケージＩＤまたは内箱ＩＤがＲＦＩＤであってもよい。
【付記１６】
【００４８】  前記トレーディングカードＩＤまたはパッケージＩＤまたは内箱ＩＤがＲＦＩＤであり、前記カートンＩＤを外から読み取った際に、前記カートン内のトレーディングカードの組み合わせが正しいかどうかを検査するステップを、さらに備えてもよい。
【付記１７】
【００４９】  前記パッケージは中身がわからないように不透明のパッケージになっていてもよい。
【付記１８】
【００５０】  前記パッケージは一定の説明カードまたはエキストラカードを含み、前記パッケージまたは前記説明カードまたは前記エキストラカードに前記パッケージＩＤ３が付与されており、前記パッケージＩＤ３と当該パッケージ内の他のすべてのカードが関連づけられてもよい。また、当該パッケージＩＤ３をオンライン上の所定のオンラインゲームシステムと関連付け、当該オンラインゲームで使用可能な構成になっていてもよい。
【付記１９】
【００５１】  前記カートンＩＤ、内箱ＩＤを読み取ることにより、
（１）出荷するときにどのＩＤをどの顧客に売ったか
（２）顧客からクレームが来た時に出荷したものかどうか
（３）出荷されていないのに持ち出されたかどうか
（４）廃棄するときに廃棄したものかどうか
の少なくとも１つが把握できてもよい。
【産業上の利用分野】
【００５２】  本発明は、中身が特定されるトレーディングカードおよびその製造方法として、産業上の利用可能性を有する。
【符号の説明】
【００５３】１  パッケージ
２  トレーディングカードＩＤ
３  パッケージＩＤ
４  トレーディングカード
５  内箱
６  カートン
７  パッケージＩＤつきカード
２０  カード原紙
１００  組付け機
１０１  投入筒
１０２  ベルトコンベア
１０３  ローラ
１０４  カード受け部
１０５  カメラ
２００  内箱ＩＤ
２０１  カートンＩＤ
３００  排出管理装置
３０１  排出装置
４００  工程管理システム
ＲＭ  レア度
ＤＢ  データベース
【図１】
2019155039.tif 000003
【図２】
2019155039.tif 000004
【図３】
2019155039.tif 000005
【図４】
2019155039.tif 000006
【手続補正書】
【提出日】平成31年2月20日(2019.2.20)
【手続補正１】
【補正対象書類名】特許請求の範囲
【補正対象項目名】全文
【補正方法】変更
【補正の内容】
【特許請求の範囲】
【請求項１】
複数のレア度があり、いずれかのレア度に分類されて当該レア度情報が印刷されたトレーディングカードであって、異なるレア度に分類された前記トレーディングカードを所定のルールに従い組み合わせて一つのパッケージにパッケージングするために所定数のトレーディングカードを組にする組付けステップと、
前記組付けステップで組に構成されたトレーディングカードの組を一つのパッケージにパッケージングするパッケージングステップと、を有し、
前記組付けステップでは、前記組を構成する所定数のトレーディングカードの組中に所定のルールに従い複数の異なるレア度に分類されたトレーディングカードを組付けるようにトレーディングカードを選択して組を構成し、当該組合せ内容がデータベースに登録され、
前記パッケージには、当該パッケージを特定するパッケージＩＤがパッケージ毎に付与され、前記パッケージＩＤを表すコード表示が、前記パッケージの内に封入されるかまたは前記パッケージに設けられ、
前記トレーディングカードを内包するパッケージの前記パッケージＩＤと、前記パッケージに内包された前記トレーディングカードの前記組合せ内容とが、データベースにおいて関連付けられている構成である、トレーディングカードパッケージの製造方法。
【請求項２】
前記トレーディングカードには、トレーディングカードＩＤが付与されており、
前記組付けステップでは、組を構成するトレーディングカードの当該トレーディングカードＩＤがデータベースに登録され、
前記パッケージＩＤと、前記パッケージに内包された前記トレーディングカードの前記ＩＤ及びレア度とが、データベースにおいて関連付けられている構成である、請求項１に記載のトレーディングカードパッケージの製造方法。
【請求項３】
前記トレーディングカードＩＤが、前記組付けステップにおいて前記トレーディングカードを組付ける際、もしくは前記パッケージングステップにおいて前記トレーディングカードの組をパッケージングする前もしくはパッケージング中にそれぞれの前記トレーディングカードＩＤが読み取られる構成である、請求項２に記載のトレーディングカードパッケージの製造方法。
【請求項４】
前記パッケージングステップを経た複数の前記パッケージを内箱に封入する箱詰ステップ、をさらに含み、
複数の前記パッケージを封入した内箱に、互いに異なるユニークな内箱ＩＤを付与し、当該内箱に内包される複数の前記パッケージのパッケージＩＤと、前記内箱ＩＤとが、データベースにおいて関連付けられている構成である、請求項１から３のいずれかに記載のトレーディングカードパッケージの製造方法。
【請求項５】
前記内箱複数個を、カートンに梱包する梱包ステップをさらに含み、
前記カートンにカートン毎に異なるユニークなカートンＩＤを付与し、
前記カートンＩＤと、前記カートンに内包する複数の内箱の内箱ＩＤとが、データベースにおいて関連付けられている構成である、請求項４に記載のトレーディングカードパッケージの製造方法。
【請求項６】
前記パッケージに内包された前記トレーディングカードの前記トレーディングカードＩＤ及びレア度から、パッケージ内の前記トレーディングカードが所定のルールに合致した枚数及び組になっているか否かを検査する検査ステップを、更に備えた請求項２に記載のトレーディングカードパッケージの製造方法。
【請求項７】
前記内箱に内包されている全ての前記トレーディングカードの前記トレーディングカードＩＤ及びレア度から、前記内箱内の前記トレーディングカードが所定のルールに合致した枚数およびレア度の組合わせになっているか否かを検査する検査ステップを、更に備えた請求項４に記載のトレーディングカードパッケージの製造方法。
【請求項８】
前記カートンに内包されている全ての前記トレーディングカードの前記トレーディングカードＩＤ及びレア度から、前記カートン内の前記トレーディングカードが所定のルールに合致した枚数およびレア度の組合わせになっているか否かを検査する検査ステップを、更に備えた請求項５に記載のトレーディングカードパッケージの製造方法。
【請求項９】
前記パッケージに内包された前記トレーディングカードの組を前記パッケージに内包された状態で、重量又は厚みから、パッケージ内の前記トレーディングカードが所定のルールに合致した枚数になっているか否かを検査する検査ステップを、更に備えた請求項１から８のいずれかに記載のトレーディングカードパッケージの製造方法。
【請求項１０】
前記内箱に内包されている全ての前記トレーディングカードを前記内箱に内包した状態での重量から前記トレーディングカードが所定のルールに合致した枚数になっているか否かを検査する検査ステップを、更に備えた請求項４から９のいずれかに記載のトレーディングカードパッケージの製造方法。
【請求項１１】
前記カートンに内包されている全ての前記トレーディングカードを前記カートンに内包した状態での重量から、前記カートン内の前記トレーディングカードが所定のルールに合致した枚数になっているか否かを検査する検査ステップを、更に備えた請求項５から１０のいずれかに記載のトレーディングカードパッケージの製造方法。
【請求項１２】
トレーディングカードが所定のレア度に分類され、分類された当該レア度の情報が前記トレーディングカードにそれぞれ付与されており、
異なるレア度に分類されたトレーディングカードを所定のルールに従い組み合わせて一つのパッケージにパッケージングするために所定数のトレーディングカードが組にされており、
前記組に構成されたトレーディングカードが一つのパッケージにパッケージングされており、
前記組を構成する所定数のトレーディングカードの組中には所定のルールに従い複数の異なるレア度に分類されたトレーディングカードが組付けられており、当該組合せ内容がデータベースに登録され、
前記パッケージには、当該パッケージを特定するパッケージＩＤがパッケージ毎に付与され、前記パッケージＩＤを表すコード表示が、前記パッケージの内に封入されるかまたは前記パッケージに設けられ、
前記トレーディングカードを内包するパッケージの前記パッケージＩＤと、前記パッケージに内包された前記組合せ内容とが、データベースにおいて関連付けられている構成である、トレーディングカードパッケージ。
【請求項１３】
前記トレーディングカードにはトレーディングカードＩＤが付与され、前記組中の複数のトレーディングカードの当該トレーディングカードＩＤがデータベースに登録され、
前記トレーディングカードを内包するパッケージの前記パッケージＩＤと、前記パッケージに内包された前記トレーディングカードＩＤとが、データベースにおいて関連付けられている構成である、請求項１２に記載のトレーディングカードパッケージ。
【請求項１４】
前記パッケージングされた複数の前記パッケージが内箱に封入され、
複数の前記パッケージを封入した内箱に、互いに異なるユニークな内箱ＩＤを付与し、当該内箱に内包される複数の前記パッケージのパッケージＩＤと、前記内箱ＩＤとが、データベースにおいて関連付けられている構成である、請求項１２に記載のトレーディングカードパッケージ。
【請求項１５】
前記内箱複数個が、カートンに梱包され、
前記カートンにカートン毎に異なるユニークなカートンＩＤを付与し、
前記カートンＩＤと、前記カートンに内包する複数の内箱の内箱ＩＤとが、データベースにおいて関連付けられている構成である、請求項１４に記載のトレーディングカードパッケージ。
【請求項１６】
前記パッケージに内包された前記トレーディングカードの前記トレーディングカードＩＤ及びレア度から、パッケージ内の前記トレーディングカードが所定のルールに合致した枚数及び組になっているか否かを検査された、請求項１３に記載のトレーディングカードパッケージ。
【請求項１７】
前記内箱に内包されている全ての前記トレーディングカードの前記トレーディングカードＩＤ及びレア度から、前記内箱内の前記トレーディングカードが所定のルールに合致した枚数およびレア度の組合わせになっているか否かを検査された、請求項１４に記載のトレーディングカードパッケージ。
【請求項１８】
前記カートンに内包されている全ての前記トレーディングカードの前記トレーディングカードＩＤ及びレア度から、前記カートン内の前記トレーディングカードが所定のルールに合致した枚数およびレア度の組合わせになっているか否かを検査された、請求項１５に記載のトレーディングカードパッケージ。